【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
ケースを含む弾薬物品であって、該ケースが、ASTM D256-00に従って測定すると約682.5J/m(約10ft lbs/in)より大きい室温(約23℃)ノッチ付Izod衝撃強度を有し、且つ約4より小さい約-40℃におけるノッチ付Izod衝撃強度に対する室温におけるノッチ付Izod衝撃強度の比を有するポリマー材料を含む、弾薬物品。
【請求項２】
前記ケースが2種以上の個々の成分を含み、且つ少なくとも1種の該成分が前記ポリマー材料を含む、請求項１記載の弾薬物品。
【請求項３】
前記ポリマー材料が、可塑剤、潤滑剤、成形剤、充填剤、熱酸化安定化剤、難燃剤、着色剤、相溶化剤、衝撃改良剤、離型剤、強化用繊維などの任意の組み合わせをさらに含む、請求項１又は２記載の弾薬物品。
【請求項４】
前記ポリマー材料が、ブレンドされた又は共に混合された1種以上のポリマー又はコポリマーを含む、請求項１又は２記載の弾薬物品。
【請求項５】
さらに発射体を含む、請求項１又は２記載の弾薬物品。
【請求項６】
発射体が、該発射体の周囲でポリマー材料を成形すること、機械的障害、接着剤、超音波溶接、その場の成形及び接着剤の組み合わせ、又は成形作用後の高温クリンピングのいずれかによって、前記ケースに確保されている、請求項５記載の弾薬物品。
【請求項７】
前記ケースがポリフェニルスルホンを含む、請求項１記載の弾薬物品。
【請求項８】
前記少なくとも1種の成分がポリフェニルスルホンを含む、請求項２記載の弾薬物品。
【請求項９】
前記ケースが、シロキサン修飾ビスフェノール-Aポリカーボネート、又はシロキサン修飾ビスフェノール-Aポリカーボネート及び高モジュラスポリマー又はコポリマーのブレンドを含む、請求項１記載の弾薬物品。
【請求項１０】
前記少なくとも1種の成分が、シロキサン修飾ビスフェノール-Aポリカーボネート、又はシロキサン修飾ビスフェノール-Aポリカーボネート及び高モジュラスポリマー又はコポリマーのブレンドを含む、請求項２記載の弾薬物品。
【請求項１１】
前記ケースが、ビフェニル結合を有するビスフェノール-Aポリカーボネート、ビフェニル結合を有するビスフェノール-Aポリカーボネート及び高モジュラスポリマー又はコポリマーのブレンド、ビスフェノール-Aポリカーボネート及びアクリルエラストマーを含むブレンド、又はビスフェノール-Aポリカーボネート、アクリルエラストマー、及び高モジュラスポリマー又はコポリマーを含むブレンドのいずれかを含む、請求項１記載の弾薬物品。
【請求項１２】
前記少なくとも1種の成分が、ビフェニル結合を有するビスフェノール-Aポリカーボネート、ビフェニル結合を有するビスフェノール-Aポリカーボネート及び高モジュラスポリマー又はコポリマーのブレンド、ビスフェノール-Aポリカーボネート及びアクリルエラストマーを含むブレンド、又はビスフェノール-Aポリカーボネート、アクリルエラストマー、及び高モジュラスポリマー又はコポリマーを含むブレンドのいずれかを含む、請求項２記載の弾薬物品。
【請求項１３】
前記ポリマー材料がポリマーブレンドを含み、該ポリマーブレンドの少なくとも1種のポリマーが高モジュラスポリマーである、請求項１記載の弾薬物品。
【請求項１４】
高モジュラスポリマーが、ASTM D790に従って測定すると少なくとも900,000psiの室温曲げ率を有する、請求項１３記載の弾薬物品。
【請求項１５】
高モジュラスポリマーが、ポリマー材料の全質量の約25質量%より少なく含まれる、請求項１３記載の弾薬物品。
【請求項１６】
高モジュラスポリマーが、ポリマー材料の全質量の約15質量%より少なく含まれる、請求項１３記載の弾薬物品。
【請求項１７】
高モジュラスポリマーが、ポリマー材料の全質量の約10質量%より少なく含まれる、請求項１３記載の弾薬物品。
【請求項１８】
高モジュラスポリマーが、ポリマー材料の全質量の約5質量%より少なく含まれる、請求項１３記載の弾薬物品。
【請求項１９】
高モジュラスポリマーが、ポリマー材料の全質量の約2.5質量%より少なく含まれる、請求項１３記載の弾薬物品。
【請求項２０】
高モジュラスポリマーが、ポリマー材料の全質量の約1質量%より少なく含まれる、請求項１３記載の弾薬物品。
【請求項２１】
高モジュラスポリマーが、ポリマー材料の全質量の約0.1質量%より少なく含まれる、請求項１３記載の弾薬物品。
【請求項２２】
前記ケースが、ポリマーケースレット及びキャップからなる2部分の筒ケースであり、且つ該ケースレットが前記ポリマー材料を含む、請求項１記載の弾薬物品。
【請求項２３】
前記キャップ成分が、鋼、アルミニウム合金、黄銅、マグネシウム合金、コンポジット、又はポリマーのいずれかを含む、請求項２２記載の弾薬物品。
【請求項２４】
ケースレットがその前端が閉じられていて、且つ発射体を含有しない、請求項２２記載の弾薬物品。
【請求項２５】
ケースを含む弾薬物品を製造する方法であって、該ケースの少なくとも一部が、ASTM D256-00に従って測定すると少なくとも約682.5J/m(約10ft lbs/in)の室温ノッチ付Izod衝撃強度を有し、且つ約4より小さい約-40℃におけるノッチ付Izod衝撃強度値に対する室温で測定されたノッチ付Izod衝撃強度値の比を有するポリマー材料から形成される、方法。
【請求項２６】
ケースがポリマーケースレット及びキャップから組み立てられる、請求項２５記載の方法。
【請求項２７】
ポリマーケース部分が、射出成形、ストック形状からの機械加工、熱形成、圧縮成形、吹込み成形、又は押出によって形成される、請求項２５記載の方法。
【請求項２８】
前記ポリマー材料が、ASTM D256-00に従って測定すると約819J/m(約12ft lbs/in)より大きい室温(約23℃)ノッチ付Izod衝撃強度を有する、請求項１記載の弾薬物品。
【請求項２９】
前記ポリマー材料が、約3より小さい約-40℃におけるノッチ付Izod衝撃強度に対する室温におけるノッチ付Izod衝撃強度の比を有する、請求項１記載の弾薬物品。
【請求項３０】
前記ポリマー材料が、ASTM D256-00に従って測定すると約819J/m(約12ft lbs/in)より大きい室温(約23℃)ノッチ付Izod衝撃強度を有し、且つ約3より小さい約-40℃におけるノッチ付Izod衝撃強度に対する室温におけるノッチ付Izod衝撃強度の比を有する、請求項１記載の弾薬物品。
【請求項３１】
前記ポリマー材料が、約2より小さい約-40℃におけるノッチ付Izod衝撃強度に対する室温におけるノッチ付Izod衝撃強度の比を有する、請求項１記載の弾薬物品。
【請求項３２】
前記ポリマー材料が、ASTM D256-00に従って測定すると約819J/m(約12ft lbs/in)より大きい室温(約23℃)ノッチ付Izod衝撃強度を有し、且つ約2より小さい約-40℃におけるノッチ付Izod衝撃強度に対する室温におけるノッチ付Izod衝撃強度の比を有する、請求項１記載の弾薬物品。
【請求項３３】
前記ポリマー材料が、ASTM D256-00に従って測定すると約819J/m(約12ft lbs/in)より大きい室温(約23℃)ノッチ付Izod衝撃強度を有する、請求項２記載の弾薬物品。
【請求項３４】
前記ポリマー材料が、約3より小さい約-40℃におけるノッチ付Izod衝撃強度に対する室温におけるノッチ付Izod衝撃強度の比を有する、請求項２記載の弾薬物品。
【請求項３５】
前記ポリマー材料が、ASTM D256-00に従って測定すると約819J/m(約12ft lbs/in)より大きい室温(約23℃)ノッチ付Izod衝撃強度を有し、且つ約3より小さい約-40℃におけるノッチ付Izod衝撃強度に対する室温におけるノッチ付Izod衝撃強度の比を有する、請求項２記載の弾薬物品。
【請求項３６】
前記ポリマー材料が、約2より小さい約-40℃におけるノッチ付Izod衝撃強度に対する室温におけるノッチ付Izod衝撃強度の比を有する、請求項２記載の弾薬物品。
【請求項３７】
前記ポリマー材料が、ASTM D256-00に従って測定すると約819J/m(約12ft lbs/in)より大きい室温(約23℃)ノッチ付Izod衝撃強度を有し、且つ約2より小さい約-40℃におけるノッチ付Izod衝撃強度に対する室温におけるノッチ付Izod衝撃強度の比を有する、請求項２記載の弾薬物品。
【請求項３８】
少なくとも一部が、ASTM D256-00に従って測定すると約682.5J/m(約10ft lbs/in)より大きい室温(約23℃)ノッチ付Izod衝撃強度を有し、且つ約4より小さい約-40℃におけるノッチ付Izod衝撃強度に対する室温におけるノッチ付Izod衝撃強度の比を有するポリマー材料から製作される、弾薬筒ケース。
【請求項３９】
弾薬筒ケース又は筒ケース部品の製作に使用するためのポリマー材料を選択する方法であって:
室温で測定した該材料のノッチ付Izod衝撃強度を、約-40℃で測定したそのノッチ付Izod衝撃強度と比較する工程(共にASTM D256-00で測定);及び
約4より小さい-40℃におけるノッチ付Izod衝撃強度に対する室温におけるノッチ付Izod衝撃強度の比を有するポリマー材料を選択する工程、
を含む方法。